【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
原稿が載置される原稿台と、光を出力する光源であって前記原稿台に載置された原稿を第一方向に移動しながら走査する光源と、前記走査による前記原稿からの反射光を受光することによって、前記原稿台に載置された原稿の画像を読み取る読取素子と、を有する読取ユニットと、
前記読取ユニットによって読み取られた画像を表す画像データを生成する生成手段と、
前記生成手段によって生成された画像データを出力する出力手段と、
前記読取ユニットに対して回動する押圧板であって、前記原稿台に載置された原稿を、前記押圧板が前記読取ユニットに対して閉じている閉状態において前記原稿台に向けて押圧する押圧面を有する押圧板と、
前記原稿が載置される前記原稿台の面及び前記第一方向に交差する第二方向における前記原稿台に載置された原稿の一端が突き当てられる突き当て部を有し、前記第二方向における前記原稿の一端が前記突き当て部に突き当てられることにより、前記原稿台に載置された原稿の前記第二方向における位置決めが行われる位置決め部材と、
前記押圧面上に設けられた目印と、
前記閉状態において前記目印が前記読取素子によって読み取られなかった場合は前記出力手段によって出力される画像データが表す画像の前記第二方向におけるサイズを所定サイズと決定し、前記閉状態において前記目印が前記読取素子によって読み取られた場合は前記位置決め部材により位置決めされた原稿の前記第二方向における他端の位置に基づいて、前記出力手段によって出力される画像データが表す画像の前記第二方向におけるサイズを決定する決定手段と、
を有し、
前記原稿の前記第二方向における他端の位置は、前記読取素子の読み取り結果に基づいて決定され、
前記閉状態における前記突き当て部と前記目印との間の前記第二方向における距離は、定型サイズうちの最大サイズの原稿の長手方向に交差する方向における当該最大サイズの原稿の長さよりも長く、且つ、前記読取素子が画像を読取可能な読取可能領域の前記第二方向における長さよりも短く、
前記最大サイズの原稿の面積は前記読取可能領域の面積よりも小さい、
ことを特徴とする画像読取装置。
【請求項２】
前記所定サイズは、前記定型サイズのうちの前記最大サイズの原稿の前記長手方向に交差する方向における当該最大サイズの原稿の長さであることを特徴とする請求項１に記載の画像読取装置。
【請求項３】
前記所定サイズは、Ａ３サイズの原稿の長手方向に交差する方向における当該Ａ３サイズの原稿の長さであることを特徴とする請求項１に記載の画像読取装置。
【請求項４】
原稿が載置される原稿台と、光を出力する光源であって前記原稿台に載置された原稿を第一方向に移動しながら走査する光源と、前記走査による前記原稿で反射した光を受光することによって、前記原稿台に載置された原稿の画像を読み取る読取素子と、を有する読取ユニットと、
前記読取ユニットによって読み取られた画像を表す画像データを生成する生成手段と、
前記生成手段によって生成された画像データを出力する出力手段と、
前記読取ユニットに対して回動する押圧板であって、前記原稿台に載置された原稿を、前記押圧板が前記読取ユニットに対して閉じている閉状態において前記原稿台に向けて押圧する押圧面を有する押圧板と、
前記原稿が載置される前記原稿台の面及び前記第一方向に交差する第二方向における前記原稿台に載置された原稿の一端が突き当てられる突き当て部を有し、前記第二方向における前記原稿の一端が前記突き当て部に突き当てられることにより、前記原稿台に載置された原稿の前記第二方向における位置決めが行われる位置決め部材と、
前記押圧面上に設けられた目印と、
前記閉状態において前記目印が前記読取素子によって読み取られたか否かに基づき、前記出力手段によって出力される画像データが表す画像の前記第二方向におけるサイズを決定する決定手段と、
を有し、
前記閉状態における前記突き当て部と前記目印との間の前記第二方向における距離は、定型サイズうちの最大サイズの原稿の長手方向に交差する方向における当該最大サイズの原稿の長さよりも長く、且つ、前記読取素子が画像を読取可能な読取可能領域の前記第二方向における長さよりも短く、
前記最大サイズの原稿の面積は前記読取可能領域の面積よりも小さい、
ことを特徴とする画像読取装置。
【請求項５】
前記画像読取装置は、前記読取ユニットに設けられたシートセンサであって、前記原稿台に載置された原稿を前記原稿台を介して検知するシートセンサを有し、
前記決定手段は、前記シートセンサの検知結果に基づき、前記出力手段によって出力される画像データが表す画像の前記第一方向におけるサイズを決定することを特徴とする請求項１乃至４のいずれか一項に記載の画像読取装置。
【請求項６】
前記画像読取装置は、前記原稿台に載置された原稿の前記第一方向における一端が突き当てられる第二突き当て部を有し、前記第二突き当て部に前記原稿の前記第一方向における一端が突き当てられることにより前記原稿台に載置された前記原稿の前記第一方向における位置決めが実行される第二位置決め部材を有し、
前記第二突き当て部と前記シートセンサが設けられている位置との間の前記第一方向における距離は、前記定型サイズのうちの前記最大サイズの原稿の長手方向における当該最大サイズの原稿の長さよりも短く、且つ、当該最大サイズよりも小さなサイズの原稿の長手方向に交差する方向における当該最大サイズよりも小さなサイズの原稿の長さよりも長いことを特徴とする請求項５に記載の画像読取装置。
【請求項７】
前記画像読取装置は、前記原稿台に載置された原稿の前記第一方向における一端が突き当てられる第二突き当て部を有し、前記第二突き当て部に前記原稿の前記第一方向における一端が突き当てられることにより前記原稿台に載置された前記原稿の前記第一方向における位置決めが実行される第二位置決め部材を有し、
前記第二突き当て部と前記シートセンサが設けられている位置との間の前記第一方向における距離は、Ａ４サイズの原稿の長手方向に交差する方向における当該Ａ４サイズの原稿の長さよりも長く、かつ、Ｂ５サイズの原稿の長手方向における当該Ｂ５サイズの原稿の長さよりも短いことを特徴とする請求項５に記載の画像読取装置。
【請求項８】
前記目印は、刻印であることを特徴とする請求項１ないし７のいずれか一項に記載の画像読取装置。
【請求項９】
前記目印は、前記押圧面に貼付されたシールであることを特徴とする請求項１ないし７のいずれか一項に記載の画像読取装置。
【請求項１０】
前記目印は、前記押圧面に印刷または塗装されており、
前記目印の色は前記押圧面の色とは異なっていることを特徴とする請求項１ないし７のいずれか一項に記載の画像読取装置。
【請求項１１】
前記第一方向における前記目印の長さは３ｍｍ以上であることを特徴とする請求項１ないし１０のいずれか一項に記載の画像読取装置。
【請求項１２】
前記目印は、前記第二方向において異なる位置に設けられた第一の線と第二の線とを含むことを特徴とする請求項１ないし１１のいずれか一項に記載の画像読取装置。
【請求項１３】
前記画像読取装置は、前記決定手段によって決定された前記第二方向におけるサイズを示す情報を通知する通知部を有することを特徴とする請求項１ないし１２のいずれか一項に記載の画像読取装置。
【請求項１４】
前記決定手段は、前記第一方向における第一の位置に位置する前記光源から出力された光によって得られる前記読取素子の第一読取結果と、前記第一方向における第二の位置に位置する前記光源から出力された光によって得られる前記読取素子の第二の読取結果との両方に基づいて、前記目印が読み取られたか否かを判別し、
前記第一の位置は、前記閉状態において、前記第一方向における前記目印が設けられていない位置であり、
前記第二の位置は、前記閉状態において、前記第一方向における前記目印が設けられている位置であることを特徴とする請求項１ないし１３のいずれか一項に記載の画像読取装置。
【請求項１５】
前記決定手段は、前記第一読取結果と、当該第一読取結果よりも後に取得された第二読取結果とに基づいて、前記目印が前記読取素子によって読み取られたか否かを判定することを特徴とする請求項１４に記載の画像読取装置。
【請求項１６】
前記読取素子の読取結果は前記読取素子によって受光された光の輝度を示す輝度値を含み、
前記決定手段は、前記輝度値に基づき、前記原稿台に載置された原稿の前記第二方向における他端を検知することを特徴とする請求項１ないし１５のいずれか一項に記載の画像読取装置。
【請求項１７】
前記生成手段は、前記決定手段によって決定された前記第二方向におけるサイズの画像に対応する画像データを生成することを特徴とする請求項１ないし１６のいずれか一項に記載の画像読取装置。
【請求項１８】
原稿が載置される原稿台と、光を出力する光源であって前記原稿台に載置された原稿を第一方向に移動しながら走査する光源と、前記走査による前記原稿からの反射光を受光することによって、前記原稿台に載置された原稿の画像を読み取る読取素子と、を有する読取ユニットと、
前記読取ユニットに対して回動する押圧板であって、前記原稿台に載置された原稿を、前記押圧板が前記読取ユニットに対して閉じている閉状態において前記原稿台に向けて押圧する押圧面を有する押圧板と、
前記原稿が載置される前記原稿台の面及び前記第一方向に交差する第二方向における前記原稿台に載置された原稿の一端が突き当てられる突き当て部を有し、前記第二方向における前記原稿の一端が前記突き当て部に突き当てられることにより、前記原稿台に載置された原稿の前記第二方向における位置決めが行われる位置決め部材と、
前記押圧面上に設けられた目印と、
第一サイズの記録媒体が積載される第一積載部と、第二サイズの記録媒体が積載される第二積載部と、を含む複数の積載部と、
前記複数の積載部に積載された記録媒体を給送する給送部と、
前記閉状態において前記目印が前記読取素子によって読み取られなかった場合は前記給送部による給送が行われる積載部として前記第一積載部を選択し、前記閉状態において前記目印が前記読取素子によって読み取られた場合は前記位置決め部材により位置決めされた原稿の前記第二方向における他端の位置に基づいて決定されるサイズに対応する記録媒体が格納されている積載部を、前記給送部による給送が行われる積載部として選択する選択手段と、
前記読取ユニットによって読み取られた画像に基づいて、前記給送部によって給送された記録媒体に画像を形成する画像形成部と、
を有し、
前記閉状態における前記突き当て部と前記目印との間の前記第二方向における距離は、定型サイズうちの最大サイズの原稿の長手方向に交差する方向における当該最大サイズの原稿の長さよりも長く、且つ、前記読取素子が画像を読取可能な読取可能領域の前記第二方向における長さよりも短く、
前記最大サイズの原稿の面積は前記読取可能領域の面積よりも小さく、
前記第一サイズは、前記定型サイズうちの前記最大サイズである、
ことを特徴とする画像形成装置。
【請求項１９】
前記第一サイズは、Ａ３サイズであることを特徴とする請求項１８に記載の画像形成装置。
【請求項２０】
原稿が載置される原稿台と、光を出力する光源であって前記原稿台に載置された原稿を第一方向に移動しながら走査する光源と、前記走査による前記原稿からの反射光を受光することによって、前記原稿台に載置された原稿の画像を読み取る読取素子と、を有する読取ユニットと、
前記読取ユニットに対して回動する押圧板であって、前記原稿台に載置された原稿を、前記押圧板が前記読取ユニットに対して閉じている閉状態において前記原稿台に向けて押圧する押圧面を有する押圧板と、
前記原稿が載置される前記原稿台の面及び前記第一方向に交差する第二方向における前記原稿台に載置された原稿の一端が突き当てられる突き当て部を有し、前記第二方向における前記原稿の一端が前記突き当て部に突き当てられることにより、前記原稿台に載置された原稿の前記第二方向における位置決めが行われる位置決め部材と、
前記押圧面上に設けられた目印と、
第一サイズの記録媒体が積載される第一積載部と、第二サイズの記録媒体が積載される第二積載部と、を含む複数の積載部と、
前記複数の積載部に積載された記録媒体を給送する給送部と、
前記閉状態において前記目印が前記読取素子によって読み取られたか否かに基づき、前記給送部による給送が行われる積載部を選択する選択手段と
前記読取ユニットによって読み取られた画像に基づいて、前記給送部によって給送された記録媒体に画像を形成する画像形成部と、
を有し、
前記閉状態における前記突き当て部と前記目印との間の前記第二方向における距離は、定型サイズうちの最大サイズの原稿の長手方向に交差する方向における当該最大サイズの原稿の長さよりも長く、且つ、前記読取素子が画像を読取可能な読取可能領域の前記第二方向における長さよりも短く、
前記最大サイズの原稿の面積は前記読取可能領域の面積よりも小さく、
前記第一サイズは、前記定型サイズうちの前記最大サイズである、
ことを特徴とする画像形成装置。
【請求項２１】
前記画像形成装置は、前記読取ユニットに設けられたシートセンサであって、前記原稿台に載置された原稿を当該原稿台を介して検知するシートセンサを有し、
前記選択手段は、前記閉状態において前記目印が前記読取素子によって読み取られたか否かと、前記シートセンサの検知結果と、に基づき、前記給送部による給送が行われる積載部を選択することを特徴とする請求項１８乃至２０のいずれか一項に記載の画像形成装置。
【請求項２２】
前記画像形成装置は、前記原稿台に載置された原稿の前記第一方向における一端が突き当てられる第二突き当て部を有し、前記第二突き当て部に前記原稿の前記第一方向における一端が突き当てられることにより前記原稿台に載置された前記原稿の前記第一方向における位置決めが実行される第二位置決め部材を有し、
前記第二突き当て部と前記シートセンサが設けられている位置との間の前記第一方向における距離は、前記定型サイズのうちの前記最大サイズの原稿の長手方向における当該最大サイズの原稿の長さよりも短く、且つ、当該最大サイズよりも小さなサイズの原稿の長手方向に交差する方向における当該最大サイズよりも小さなサイズの原稿の長さよりも長いことを特徴とする請求項２１に記載の画像形成装置。
【請求項２３】
前記画像形成装置は、前記原稿台に載置された原稿の前記第一方向における一端が突き当てられる第二突き当て部を有し、前記第二突き当て部に前記原稿の前記第一方向における一端が突き当てられることにより前記原稿台に載置された前記原稿の前記第一方向における位置決めが実行される第二位置決め部材を有し、
前記第二突き当て部と前記シートセンサが設けられている位置との間の前記第一方向における距離は、Ａ４サイズの原稿の長手方向に交差する方向における当該Ａ４サイズの原稿の長さよりも長く、かつ、Ｂ５サイズの原稿の長手方向における当該Ｂ５サイズの原稿の長さよりも短いことを特徴とする請求項２１に記載の画像形成装置。
【請求項２４】
前記目印が読み取られたか否かは、前記第一方向における第一の位置に位置する前記光源から出力された光によって得られる前記読取素子の第一読取結果と、前記第一方向における第二の位置に位置する前記光源から出力された光によって得られる前記読取素子の第二の読取結果との両方に基づいて判別され、
前記第一の位置は、前記閉状態において、前記第一方向において前記目印が設けられていない位置であり、
前記第二の位置は、前記閉状態において、前記第一方向において前記目印が設けられている位置であることを特徴とする請求項１８ないし２３のいずれか一項に記載の画像形成装置。
【請求項２５】
前記目印が読み取られたか否かは、前記第一読取結果と、当該第一読取結果よりも後に取得された第二読取結果とに基づいて判定されることを特徴とする請求項２４に記載の画像形成装置。
【請求項２６】
前記読取素子の読取結果は前記読取素子によって受光された光の輝度を示す輝度値を含み、
前記原稿台に載置された原稿の前記第二方向における他端は、前記輝度値に基づいて検知されることを特徴とする請求項１８ないし２５のいずれか一項に記載の画像形成装置。
【請求項２７】
前記画像形成装置は、前記選択手段によって選択される積載部に対応する記録媒体のサイズを示す情報を通知する通知部を有することを特徴とする請求項１８ないし２６のいずれか一項に記載の画像形成装置。
【請求項２８】
前記目印は、刻印であることを特徴とする請求項１８ないし２７のいずれか一項に記載の画像形成装置。
【請求項２９】
前記目印は、前記押圧面に貼付されたシールであることを特徴とする請求項１８ないし２７のいずれか一項に記載の画像形成装置。
【請求項３０】
前記目印は、前記押圧面に印刷または塗装されており、
前記目印の色は前記押圧面の色とは異なっていることを特徴とする請求項１８ないし２７のいずれか一項に記載の画像形成装置。
【請求項３１】
前記第一方向における前記目印の長さは３ｍｍ以上であることを特徴とする請求項１８ないし３０のいずれか一項に記載の画像形成装置。
【請求項３２】
前記目印は、前記第二方向において異なる位置に設けられた第一の線と第二の線とを含むことを特徴とする請求項１８ないし３１のいずれか一項に記載の画像形成装置。
【手続補正２】
【補正対象書類名】明細書
【補正対象項目名】０００５
【補正方法】変更
【補正の内容】
【０００５】
本発明は、
原稿が載置される原稿台と、光を出力する光源であって前記原稿台に載置された原稿を第一方向に移動しながら走査する光源と、前記走査による前記原稿からの反射光を受光することによって、前記原稿台に載置された原稿の画像を読み取る読取素子と、を有する読取ユニットと、
前記読取ユニットによって読み取られた画像を表す画像データを生成する生成手段と、
前記生成手段によって生成された画像データを出力する出力手段と、
前記読取ユニットに対して回動する押圧板であって、前記原稿台に載置された原稿を、前記押圧板が前記読取ユニットに対して閉じている閉状態において前記原稿台に向けて押圧する押圧面を有する押圧板と、
前記原稿が載置される前記原稿台の面及び前記第一方向に交差する第二方向における前記原稿台に載置された原稿の一端が突き当てられる突き当て部を有し、前記第二方向における前記原稿の一端が前記突き当て部に突き当てられることにより、前記原稿台に載置された原稿の前記第二方向における位置決めが行われる位置決め部材と、
前記押圧面上に設けられた目印と、
前記閉状態において前記目印が前記読取素子によって読み取られなかった場合は前記出力手段によって出力される画像データが表す画像の前記第二方向におけるサイズを所定サイズと決定し、前記閉状態において前記目印が前記読取素子によって読み取られた場合は前記位置決め部材により位置決めされた原稿の前記第二方向における他端の位置に基づいて、前記出力手段によって出力される画像データが表す画像の前記第二方向におけるサイズを決定する決定手段と、
を有し、
前記原稿の前記第二方向における他端の位置は、前記読取素子の読み取り結果に基づいて決定され、
前記閉状態における前記突き当て部と前記目印との間の前記第二方向における距離は、定型サイズうちの最大サイズの原稿の長手方向に交差する方向における当該最大サイズの原稿の長さよりも長く、且つ、前記読取素子が画像を読取可能な読取可能領域の前記第二方向における長さよりも短く、
前記最大サイズの原稿の面積は前記読取可能領域の面積よりも小さい、
ことを特徴とする画像読取装置を提供する。
【手続補正３】
【補正対象書類名】明細書
【補正対象項目名】発明の名称
【補正方法】変更
【補正の内容】
【発明の名称】画像読取装置
【手続補正４】
【補正対象書類名】明細書
【補正対象項目名】０００４
【補正方法】変更
【補正の内容】
【０００４】
従来技術はプラテンガラスの面積よりも原稿の面積のほうが小さいことが前提となっている。つまり、地図やポスターなど、プラテンガラスよりも大きな原稿が考慮されていない。プラテンガラスよりも大きい原稿をプラテンガラスに載置した場合、プラテンガラスの領域内に原稿のエッジが存在しない。そのため、原稿のエッジの代わりに原稿に印刷されている罫線等がエッジとして抽出されてしまい、原稿サイズが誤検知されてしまうおそれがある。そこで、本発明は、サイズが誤検知されてしまうことを抑制することを目的とする。
【手続補正５】
【補正対象書類名】明細書
【補正対象項目名】０００６
【補正方法】変更
【補正の内容】
【０００６】
本発明によれば、サイズが誤検知されてしまうことを抑制することができる。